(57)【要約】【課題】  連結給湯システムにおいて、停電前に異常発生により停止させた給湯器を、停電復帰後にも確実に停止させて安全性を確保すること。【解決手段】  連結給湯システムは、停電前に異常が発生していた給湯器がある場合（Ｓ２２；Ｙｅｓ）、その給湯器のコントロールユニットに対してシステムコントローラより停止指令が送信されて、異常が発生していた給湯器が故障給湯器として停止状態を維持し（Ｓ２３）、リモコンのディスプレイに「＃Ｎ  給湯器停止中」と警告表示されてから（Ｓ２４）、連結給湯システムにおいて連結給湯運転が再開される（Ｓ２５）。【選択図】  図６
2008275234.tif 000002
【特許請求の範囲】
【請求項１】
複数の給湯器と、複数の給湯器を並列に接続する接続配管と、複数の給湯器の連結制御を行うシステムコントローラとからなる連結給湯システムであって、
前記システムコントローラは、複数の給湯器のうち異常が発生している給湯器を検知する異常給湯器検知部と、前記連結給湯システムへ給電中や停電中に関わらず、前記異常給湯器検知部で検知した給湯器を特定する給湯器特定情報を記憶可能な異常給湯器記憶部とを備え、
前記システムコントローラは、停電復帰後、前記異常給湯器記憶部に記憶している給湯器特定情報により特定される給湯器を停止状態に維持して連結制御を行うことを特徴とする連結給湯システム。
【請求項２】
前記異常給湯器検知部により異常が発生している給湯器を検知した旨を表示させる為の警告表示部を設けたことを特徴とする請求項１に記載の連結給湯システム。
【請求項３】
前記システムコントローラは、前記異常給湯器記憶部に記憶している給湯器を特定する情報を警告表示部に表示させることを特徴とする請求項２に記載の連結給湯システム。
【請求項４】
前記システムコントローラは、前記連結給湯システムの操作部から所定の信号が入力されたときに、前記異常給湯器記憶部に記憶している給湯器を特定する情報を消去することを特徴とする請求項１〜３の何れかに記載の連結給湯システム。
【発明の詳細な説明】
【技術分野】
【０００１】
本発明は、連結給湯システムに関し、特に停電前に異常発生により停止させた給湯器を停電復帰後にも停止させておくようにしたものに関する。
【背景技術】
【０００２】
従来より、ホテルや病院等の種々の施設においては、給湯量の大きな変動に対する追従が容易であること、給湯器故障時のバックアップが可能であること等の理由により、複数の給湯器を並列に接続してなる連結給湯システムが用いられることがある。
【０００３】
例えば、特許文献１に記載の熱源設備においては、複数の給湯器と、複数の給湯器を並列に接続する接続配管と、複数の給湯器の連結制御を行うシステムコントローラ等から構成される連結給湯システムが開示され、システムコントローラにより稼動させる給湯器の台数などを制御することで、出湯温度が給湯設定温度になるように調整している。
【０００４】
また、連結給湯システム内の一部の給湯器が故障した場合にも安定的に給湯できるように改良したものが特許文献２に開示されている。特許文献２に記載の並列設置給湯器の運転制御方法においては、各給湯器に設けた異常検出手段により異常が発生した給湯器を検出した場合、システムコントローラが異常が発生している給湯器の運転を停止させ、且つ異常が発生していない正常な給湯器のみを運転させるように制御することで、安定的に給湯できるようにしている。
【特許文献１】特開２０００−２０５６５０号公報
【特許文献２】特開平４−１９００４２号公報
【発明の開示】
【発明が解決しようとする課題】
【０００５】
ところで、停電が発生した場合、停電復帰後に作業者が手動で連結給湯システムを停電前の運転状態に復帰させる必要があるため、作業者の利便性を高める為に連結給湯システムに停電発生後の運転自動復帰機能を設けることが考えられる。特許文献２の技術に運転自動復帰機能を設けた場合、連結給湯システム内の一部の給湯器の異常を検出し、異常が発生している給湯器の運転を停止させている状態で停電が発生すると、停電復帰後にシステムコントローラが再起動されて異常が発生している給湯器の運転停止が解除され連結給湯システム内の全ての給湯器が連結制御されてしまう。このように、本来停止させておく必要のある異常が発生している給湯器が連結制御される場合には、連結給湯システムの安全性が低下する虞がある。
【０００６】
本発明の目的は、連結給湯システムにおいて、停電前に異常発生により停止させた給湯器を、停電復帰後にも確実に停止させて安全性を確保することである。
【課題を解決するための手段】
【０００７】
請求項１の連結給湯システムは、複数の給湯器と、複数の給湯器を並列に接続する接続配管と、複数の給湯器の連結制御を行うシステムコントローラとからなる連結給湯システムであって、前記システムコントローラは、複数の給湯器のうち異常が発生している給湯器を検知する異常給湯器検知部と、前記連結給湯システムへ給電中や停電中に関わらず、前記異常給湯器検知部で検知した給湯器を特定する給湯器特定情報を記憶可能な異常給湯器記憶部とを備え、前記システムコントローラは、停電復帰後、前記異常給湯器記憶部に記憶している給湯器特定情報により特定される給湯器を停止状態にして連結制御を行うことを特徴とする。
【０００８】
この連結給湯システムでは、停電復帰後、異常給湯器記憶部に記憶している給湯器特定情報により特定される給湯器を停止状態にして連結制御が行われる。連結給湯システム内の一部の給湯器の異常を検出し、異常が発生している給湯器が運転を停止している状態で停電が発生した場合、停電復帰後、連結給湯システムが停電前の運転状態に復帰しても、異常が発生している給湯器は停止したままとなる。
【０００９】
請求項２の連結給湯システムは、請求項１の発明において、前記異常給湯器検知部により異常が発生している給湯器を検知した旨を表示させる為の警告表示部を設けたことを特徴とする。
【００１０】
請求項３の連結給湯システムは、請求項２の発明において、前記システムコントローラは、前記異常給湯器記憶部に記憶している給湯器を特定する情報を警告表示部に表示させることを特徴とする。
【００１１】
請求項４の連結給湯システムは、請求項１〜３の何れかの発明において、前記システムコントローラは、前記連結給湯システムの操作部から所定の信号が入力されたときに、前記異常給湯器記憶部に記憶している給湯器を特定する情報を消去することを特徴とする。
【発明の効果】
【００１２】
請求項１の発明によれば、システムコントローラは異常給湯器検知部と異常給湯器記憶部とを備え、システムコントローラは、停電復帰後、異常給湯器記憶部に記憶している給湯器特定情報により特定される給湯器を停止状態に維持して連結制御を行うので、停電復帰後、システムコントローラが再起動されて連結給湯システムが停電前の運転状態に復帰しても、異常が発生している給湯器は停止した状態を維持するので、連結給湯システムの安全性を確保することができる。
【００１３】
請求項２の発明によれば、異常給湯器検知部により異常が発生している給湯器を検知した旨を表示させる為の警告表示部を設けたので、給湯器に異常が発生していることを作業者に確実に報知することができる。
【００１４】
請求項３の発明によれば、システムコントローラは、異常給湯器記憶部に記憶している給湯器を特定する情報を警告表示部に表示させるので、異常が発生している給湯器を作業者に確実に報知することができる。それ故、異常が発生している給湯器の修理を迅速に行うことができる。
【００１５】
請求項４の発明によれば、システムコントローラは、連結給湯システムの操作部から所定の信号が入力されたときに、異常給湯器記憶部に記憶している給湯器を特定する情報を消去するので、修理を行った後に連結給湯システムの操作部を操作することにより、修理後の給湯器を正常な給湯器として認識させることで、修理後の給湯器を速やかに連結制御に復帰させることができる。
【発明を実施するための最良の形態】
【００１６】
本発明の連結給湯システムにおいて、複数の給湯器の連結制御を行うシステムコントローラは、複数の給湯器のうち異常が発生している給湯器を検知する異常給湯器検知部と、連結給湯システムへ給電中や停電中に関わらず、異常給湯器検知部で検知した給湯器を特定する給湯器特定情報を記憶可能な異常給湯器記憶部とを備え、システムコントローラにより、停電復帰後、異常給湯器記憶部に記憶している給湯器特定情報により特定される給湯器を停止状態に維持して連結制御を行うものである。
【実施例１】
【００１７】
以下、本発明の実施例について図面に基づいて説明する。
図１に示すように、連結給湯システム１は、並列に配設された６台の給湯器２と、６台の給湯器２を並列に接続する６本の給水側接続配管２０及び６本の出湯側接続配管２１と、６台の給湯器２の連結制御を行うシステムコントローラ３０とを有し、この連結給湯システム１には、システムコントローラ３０に対して運転指令や給湯温度の設定などを行う操作部としてのリモコン４０が設けられている。
【００１８】
水道系２６に接続された給水管２２に６本の給水側接続配管２０接続され、給水管２２に供給された水が６本の給水側接続配管２０を介して各給湯器２に夫々供給される。
カランやシャワー等の給湯栓２４に接続された出湯管２３に６本の出湯側接続配管２１が接続され、各給湯器２で加熱された湯水が出湯側接続配管２１を介して出湯管２３に導出されて給湯栓２４から出湯される。給水管２２には、湯水を循環流動させる為のポンプ２５が設けられ、このポンプ２５の送り作用により湯水や水を給水管２２から６本の給水側接続配管２０へ循環流動させるようにしている。
【００１９】
次に、給湯器２について説明する。
６台の給湯器２は全て同じ構成であり、その構成について説明すると、図２に示すように、給湯器２は、給湯器本体３と、この給湯器本体３に燃料ガスを供給するガス供給管１１と、給湯器本体３に水を供給する給水管２０と、給湯器本体３から湯水を出湯する出湯管２１と、潜熱回収時に副熱交換器７に発生したドレンを排出する排水路１４と、給湯装置２の運転操作を行う為の操作パネル１５と、給湯器全体の制御を司るコントロールユニット１６（Ｃ／Ｕ）等を備えている。
【００２０】
ガス供給管１１は、ガス供給源に接続されるガス供給ポートに接続されてバーナー５まで延びている。給水側接続配管２０が副熱交換器７に接続され、出湯側接続配管２１が主熱交換器６に接続されている。
【００２１】
次に、給湯器本体３について説明する。
図２に示すように、給湯器本体３には燃焼室４が形成され、この燃焼室４には、燃料を燃焼するバーナー５と、バーナー５の燃焼ガスから顕熱を回収する主熱交換器６等が設けられている。給湯器本体３の上端部分には、主熱交換器６で回収しきれなかった顕熱に加えて潜熱を回収する副熱交換器７と、副熱交換器７での潜熱回収によって副熱交換器７の表面に発生したドレンを受けるドレン受け８等が設けられている。また、給湯器本体３の下端部には、バーナー５に燃焼用空気を供給するファン１０が設けられている。
【００２２】
給湯器本体３には、水量センサ、出湯温度センサ、バーナー５の火炎を検知するフレームロッド、バーナー５の火炎温度を検出するバーナーセンサ、ファン１０の回転数を検出する回転数検出センサ等の各種センサが設けられ、各種センサからの検出信号が給湯器２のコントロールユニット１６へ送信される。
【００２３】
マイクロコンピュータを有するコントロールユニット１６には、操作パネル１５と、ファン１０と、前述の各種センサ等が電気的に接続され、このコントロールユニット１６は、操作パネル１５に設けた運転スイッチ（運転ＳＷ）をユーザが操作することにより給湯器２の運転状態を切換えるように制御する。
【００２４】
コントロールユニット１６においては、電源が供給されている間、各種センサからの検出信号に基づいて自己診断を行っており、給湯器２が正常であるとき、給湯器２が正常状態であることを示す信号がシステムコントローラ３０へ送信される。一方、給湯器２に連結運転を継続できない異常が発生したときは、給湯器２が異常状態であることを示す信号がシステムコントローラ３０へ送信される。また、６台の給湯器２には、給湯器毎に異なる固有の給湯器番号Ｎが夫々割り付けられており、各給湯器２のコントロールユニット１６のＲＯＭに、給湯器番号Ｎが夫々記憶されている。
【００２５】
次に、連結給湯システム１の制御系について説明する。
図３に示すように、連結給湯システム１の制御系は、システムコントローラ３０と６台の給湯器２のコントロールユニット１６とを有する。
【００２６】
システムコントローラ３０は、ＣＰＵ３１とＲＯＭ３２とＲＡＭ３３と異常給湯器記憶部としてのＥＥＰＲＯＭ３２（不揮発性メモリ）とこれらを接続するバス３５とを有するマイクロコンピュータと、マイクロコンピュータに入出力する為の入出力インターフェース３６と、リモコン４０と送受信する為の通信用インターフェース３７等を備えている。入出力インターフェース３６には６台の給湯器２のコントロールユニット１６が夫々接続され、システムコントローラ３０と６台の給湯器２のコントロールユニット１６が互いに信号を送受信可能に構成されている。
【００２７】
ＲＯＭ３２には、連結給湯システムの運転制御の制御プログラム、図４のフローチャートに示すシステム運転状態記憶制御の制御プログラム、図５のフローチャートに示す給湯器状態記憶制御の制御プログラム、図６のフローチャートに示す停電復帰制御の制御プログラム等が記憶されている。
【００２８】
システム運転状態記憶制御においては、連結給湯システム１の運転状態が変更される毎に、現在の連結給湯システム１の運転状態を示す情報をＥＥＰＲＯＭ３２に記憶する。
給湯器状態記憶制御においては、６台の給湯器２のコントロールユニット１６から送信される検出信号に基づいて、６台の給湯器２のうち異常が発生している給湯器２を検知し、検知された給湯器２を特定する給湯器特定情報としての給湯器番号ＮをＥＥＰＲＯＭ３２に記憶する。停電復帰制御においては、停電復帰後、ＥＥＰＲＯＭ３２に記憶している給湯器番号Ｎにより特定される給湯器２を停止状態に維持して連結制御を行う。
但し、停電前に給湯器状態記憶制御において異常が発生している給湯器２を検知した場合は、連結給湯システムの運転制御により異常が発生している給湯器２を停止させてから連結制御を行う。
【００２９】
ＥＥＰＲＯＭ３２は不揮発性メモリであり、連結給湯システム１へ給電中や停電中に関わらず、ＥＥＰＲＯＭ３２に記憶している記憶内容を保持するように構成されており、ＥＥＰＲＯＭ３２には、給湯器状態記憶制御により検知された異常が発生している給湯器２を特定する給湯器番号Ｎと、現在の連結給湯システム１の運転状態を示す情報が記憶される。
【００３０】
リモコン４０は、通信用インターフェース３７を介してシステムコントローラ３０と送受信可能に構成され、連結給湯システム１の運転状態や６台の給湯器２の運転状態を切換える為のものである。リモコン４０には、異常が発生している給湯器２を検知した旨を表示させる為の警告表示部としてのディスプレイ４１が設けられている。
【００３１】
次に、システムコントローラ３０により実行されるシステム運転状態記憶制御について、図４のフローチャートに基づいて説明する。尚、図中Ｓｉ（ｉ＝１，２・・・）は各ステップを示す。このシステム運転状態記憶制御は連結給湯システム１へ電源が供給されている間繰り返し実行され、先ず、リモコン４０の運転ＳＷの操作内容を示す信号が読込まれ（Ｓ１）、運転ＳＷをＯＮすることにより連結給湯システム１が停止から運転に変更されたか否かが判定される。連結給湯システム１が停止から運転に変更された場合（Ｓ２；Ｙｅｓ）、現在の運転状態（運転）がＥＥＰＲＯＭ３２に記憶された後（Ｓ３）、Ｓ１へリターンする。
【００３２】
一方、連結給湯システム１が停止から運転に変更されなかった場合は（Ｓ２；Ｎｏ）、運転ＳＷをＯＦＦすることにより連結給湯システム１が運転から停止に変更されたか否かが判定され、連結給湯システム１が運転から停止に変更された場合（Ｓ４；Ｙｅｓ）、現在の運転状態（停止）がＥＥＰＲＯＭ３２に記憶された後（Ｓ３）、リターンする。
但し、連結給湯システム１が運転から停止に変更されなかった場合は（Ｓ４；Ｎｏ）、リターンする。
【００３３】
次に、システムコントローラ３０により実行される給湯器状態記憶制御について、図５のフローチャートに基づいて説明する。尚、図中Ｓｉ（ｉ＝１０，１１・・・）は各ステップを示す。この給湯器状態記憶制御は連結給湯システム１へ電源が供給されている間繰り返し実行され、先ず、６台の給湯器２のコントロールユニット１６から夫々送信される信号が読込まれ（Ｓ１０）、給湯器２に連結運転を継続できない異常が発生したか否かが判定される。
【００３４】
給湯器２に連結運転を継続できない異常が発生している場合（Ｓ１１；Ｙｅｓ）、給湯器状態（異常）を示す情報として、異常が発生している給湯器２からその給湯器２の給湯器番号Ｎが読出されてＥＥＰＲＯＭ３２に記憶された後（Ｓ１２）、Ｓ１０へリターンする。一方、給湯器２に連結運転継続できない異常が発生していない場合は（Ｓ１１；Ｎｏ）、異常状態だった給湯器２が修理されるなどして正常復帰したか否かが判定される。
【００３５】
異常状態だった給湯器２が正常復帰した場合（Ｓ１３；Ｙｅｓ）、給湯器状態（正常）がＥＥＰＲＯＭ３２に記憶される（Ｓ１２）。つまり、正常復帰した給湯器２の給湯器番号ＮがＥＥＰＲＯＭ３２から消去された後、リターンする。但し、異常状態だった給湯器２が正常復帰していない場合は（Ｓ１３；Ｎｏ）、リターンする。尚、異常給湯器検知部は、図５に示すフローチャートのＳ１０〜Ｓ１３とシステムコントローラ３０により構成される。
【００３６】
次に、システムコントローラ３０により実行される停電復帰制御について、図６のフローチャートに基づいて説明する。尚、図中Ｓｉ（ｉ＝２０，２１・・・）は各ステップを示す。この停電復帰制御は、停電復帰後に連結給湯システム１へ電源が供給されたときに実行される。先ず、ＥＥＰＲＯＭ３２から連結給湯システム１の運転状態を示す情報と給湯器状態（異常）を示す給湯器特定情報としての給湯器番号Ｎが読込まれ（Ｓ２０）、読込んだ連結給湯システム１の運転状態を示す情報に基づいて、連結給湯システム１の運転状態が復帰する（Ｓ２１）。
【００３７】
次に、停電前に連結運転を継続できない異常が発生していた給湯器２があるか否かが判定され、異常が発生していた給湯器２がある場合（Ｓ２２；Ｙｅｓ）、停電前に連結運転を継続できない異常が発生していた給湯器２のコントロールユニット１６に対してシステムコントローラ３０より停止指令が送信されて、異常が発生していた給湯器２が故障給湯器として停止状態を維持し（Ｓ２３）、リモコン４０のディスプレイ４１に「＃Ｎ  給湯器停止中」と警告表示されてから（Ｓ２４）、連結給湯システム１において連結給湯運転が再開される（Ｓ２５）。但し、異常が発生していた給湯器２がない場合は（Ｓ２２；Ｎｏ）、Ｓ２５へ移行し、全ての給湯器２を連結制御対象として、連結給湯システム１において連結給湯運転が再開される（Ｓ２５）。
【００３８】
次に、異常が発生している給湯器２を修理した後、リモコン４０の運転ＳＷをＯＮからＯＦＦ、さらにＯＮに切換えたか否かが判定される。つまり、異常が発生している給湯器２の修理を行い、その給湯器２のコントロールユニット１６から正常状態であることを示す信号を受信したか否かが判定される。異常が発生している給湯器２の修理を行った場合（Ｓ２６；Ｙｅｓ）、リモコン４０のディスプレイ４１の警告表示が解除され（Ｓ２７）、正常復帰した給湯器２の給湯器番号ＮがＥＥＰＲＯＭ３２から消去されて、ＥＥＰＲＯＭ３２に記憶している給湯器状態が異常から正常に変更される（Ｓ２８）。
【００３９】
次に、正常復帰した給湯器２のコントロールユニット１６に対してシステムコントローラ３０より運転指令が送信されて、故障給湯器扱いが解除され、この給湯器２を正常給湯器として連結制御に復帰させて（Ｓ２９）、連結給湯システム１において連結給湯運転が行われる（Ｓ２５）。但し、異常が発生している給湯器２の修理を行わなかった場合は（Ｓ２６；Ｎｏ）、Ｓ２５へ移行しその給湯器２を停止状態に維持したままで引き続き連結給湯運転が行われる。
【００４０】
次に、以上説明した連結給湯システム１の作用、効果について説明する。
停電復帰後、ＥＥＰＲＯＭ３２に記憶している給湯器特定情報として異常が発生している給湯器２の給湯器番号Ｎにより特定される給湯器２を、停止状態に維持して連結制御が行われる。連結給湯システム１内の一部の給湯器２の異常を検出し、異常が発生している給湯器２が運転を停止している状態で停電が発生した場合、停電復帰後、連結給湯システム１が停電前の運転状態に復帰しても、異常が発生している給湯器２は停止したままとなる。
【００４１】
このように、システムコントローラ３０はＥＥＰＲＯＭ３２を備え、停電復帰後、ＥＥＰＲＯＭ３２に記憶している給湯器番号Ｎにより特定される給湯器２を停止状態に維持して連結制御を行うので、停電復帰後、システムコントローラ３０が再起動されて連結給湯システム１が停電前の運転状態に復帰しても、異常が発生している給湯器２は連結制御されず停止した状態を維持するので、連結給湯システム１の安全性を確保することができる。
【００４２】
システムコントローラ３０により異常が発生している給湯器２を検知した旨を表示させる為のディスプレイ４１をリモコン４０に設けたので、給湯器２に異常が発生していることを作業者に確実に報知することができる。しかも、システムコントローラ３０は、リモコン４０のディスプレイ４１に異常が発生している給湯器２の給湯器番号Ｎを表示させるので、異常が発生している給湯器２を作業者に確実に報知することができ、異常が発生している給湯器２の修理を迅速に行うことができる。
【００４３】
さらに、システムコントローラ３０は、リモコン４０から所定の信号が入力されたときに、ＥＥＰＲＯＭ３２から異常が発生している給湯器２の給湯器番号Ｎを消去するので、異常が発生している給湯器２に対して修理を行った後にリモコン４０の運転ＳＷを操作することにより、修理後の給湯器２を正常な給湯器２として認識させることで、修理後の給湯器２を速やかに連結制御に復帰させることができる。
【実施例２】
【００４４】
次に、本発明の実施例２について、図７、図８に基づいて説明する。但し、前記実施例と同一の構成には同一の符号を付し、異なる構成についてのみ説明する。
この実施例２においては、リモコン４０のディスプレイ４１に異常が発生している給湯器２の給湯器番号Ｎを表示させるだけでなく、異常内容を示すエラーコードを表示させるようにしたものである。
【００４５】
各給湯器２のコントロールユニット１６のＲＯＭには、給湯器番号Ｎと複数のエラーコードが記憶されており、給湯器２に異常が発生した場合、コントロールユニット１６により異常内容に応じたエラーコードがシステムコントローラ３０へ送信される。
【００４６】
次に、システムコントローラ３０により実行される給湯器状態記憶制御について、図７のフローチャートに基づいて説明する。尚、図中Ｓｉ（ｉ＝３０，３１・・・）は各ステップを示す。実施例１と同様に給湯器状態記憶制御が実行され、Ｓ３０，Ｓ３１，Ｓ３３は、実施例１のＳ１０，Ｓ１１，Ｓ１３と同様であるので、その説明を省略する。
【００４７】
給湯器２に連結運転を継続できない異常が発生している場合（Ｓ３１；Ｙｅｓ）、給湯器状態（異常）を示す情報として、異常が発生している給湯器２から、その給湯器２の給湯器番号Ｎとそれに対応するエラーコードが読出されてＥＥＰＲＯＭ３２に記憶される（Ｓ３２）。また、異常状態だった給湯器２が正常復帰した場合（Ｓ３３；Ｙｅｓ）、給湯器状態（正常）がＥＥＰＲＯＭ３２に記憶される（Ｓ３２）。つまり、正常復帰した給湯器２の給湯器番号ＮとエラーコードがＥＥＰＲＯＭ３２から消去される。
【００４８】
次に、システムコントローラ３０により実行される停電復帰制御について、図８のフローチャートに基づいて説明する。尚、図中Ｓｉ（ｉ＝４０，４１・・・）は各ステップを示す。実施例１と同様に停電復帰制御が実行され、Ｓ４０〜Ｓ４３，Ｓ４５〜Ｓ４７，Ｓ４９は、実施例１のＳ２０〜Ｓ２３，Ｓ２５〜Ｓ２７，Ｓ２９と同様であるので、その説明を省略する。
【００４９】
Ｓ４４においては、リモコン４０のディスプレイ４１に「＃Ｎ  給湯器停止中、エラーコードＸＸＸ」と警告表示され、Ｓ４８においては、正常復帰した給湯器２の給湯器番号ＮとエラーコードがＥＥＰＲＯＭ３２から消去されて、ＥＥＰＲＯＭ３２に記憶している給湯器状態が異常から正常に変更される。
【００５０】
このように、システムコントローラ３０は、リモコン４０のディスプレイ４１に異常が発生している給湯器２の給湯器番号Ｎと異常内容を示すエラーコードを表示させるので、異常が発生している給湯器２の異常内容を作業者に確実に報知することができ、異常が発生している給湯器２の修理を一層迅速に行うことができる。
【００５１】
次に、前記実施例を部分的に変更した変更例について説明する。
１］給湯器２の台数は６台に限ることなく、２台以上であればよい。
２］給湯器２の修理後にリモコン４０で操作を行ってその給湯器２を連結制御に復帰させる代わりに、各給湯器２の操作パネル１５に設けた運転ＳＷで操作を行って給湯器２を連結制御に復帰させてもよい。
【００５２】
３］異常が発生している給湯器２がある場合、リモコン４０のディスプレイ４１に給湯器番号Ｎを表示させる代わりに、警告表示のみ行うようにしてもよい。
４〕その他、当業者であれば、本発明の趣旨を逸脱することなく、前記実施例に種々の変更を付加した形態で実施可能で、本発明はそのような変更形態も包含するものである。
【図面の簡単な説明】
【００５３】
【図１】本発明の実施例に係る連結給湯システムの概略構成図である。
【図２】給湯装置の概略構成図である。
【図３】連結給湯システムの制御系を示すブロック図である。
【図４】システム運転状態記憶制御のフローチャートである。
【図５】給湯器状態記憶制御のフローチャートである。
【図６】停電復帰制御のフローチャートである。
【図７】実施例２の図５相当図である。
【図８】実施例２の図６相当図である。
【符号の説明】
【００５４】
１        連結給湯システム
２        給湯器
２０      給湯側接続配管
２１      出湯側接続配管
３０      システムコントローラ
３４      ＥＥＰＲＯＭ
４１      ディスプレイ
【図１】
2008275234.tif 000003
【図２】
2008275234.tif 000004
【図３】
2008275234.tif 000005
【図４】
2008275234.tif 000006
【図５】
2008275234.tif 000007
【図６】
2008275234.tif 000008
【図７】
2008275234.tif 000009
【図８】
2008275234.tif 000010